(57)【要約】【課題】書籍の閲覧時、単数又は複数箇所の参照、及び一時読みかけ時などに、必要に応じて着脱可能なひもしおりを提供すること。【解決手段】ひも支持型しおりは、書籍の背表紙側及び、書籍ページ側を周回するひもにより、閲覧途中の場所を示す、しおりひもを固定する方式である。従って着脱可能であるにも関わらず、製本時に装備した場合と同じ、書籍閲覧に邪魔にならず、有効な機能を有するひもしおりを提供する。特に調査時、学習時など、数箇所を参照する必要が生じた場合、本発明のひも支持型しおりは、状況に応じてしおり本数を増加したものを、提供可能であり有効である。【選択図】図１
2013094969.tif 000002
【特許請求の範囲】
【請求項１】
ひもしおりと、これを保持するための、書籍のページ側と、背表紙側を周回するひも状の保持部より構成される着脱可能なしおり。
【請求項２】
上記ひも状の保持部の一部または全てが、ゴムなど伸縮可能な物質である請求項１に記載の着脱可能なしおり。
【請求項３】
上記ひも状の保持部の一部または全てに、マジックテープ(登録商標）など長さ調節を可能とするものを装備した、請求項１、及び請求項２に記載の着脱可能なしおり。
【請求項４】
複数のひもしおりを有する、請求項１、請求項２、及び請求項３に記載する着脱可能なしおり。
【請求項５】
上記複数のひもしおりに、明確に区別可能な印を施した請求項１、請求項２、請求項３、及び、請求項４に記載する着脱可能なしおり。
【発明の詳細な説明】
【技術分野】
【０００１】
本発明は書籍、ノート等に使用するひもしおりと、これを保持するための書籍背表紙、及び書籍ページの間を周回するひも状の保持部より構成される着脱可能なしおりに関する。
【背景技術】
【０００２】
ひもしおりの付いていない書籍、ノート等では、ページを特定するため、短冊型のしおり、又は単に紙片等が使用されている。しかし、このような短冊型のしおり、紙片は、書籍、ノート等から脱落したり、書籍等の中に紛れてしまうという問題があった。また、ひもしおりがついていても、その本数が少なく、参照箇所が増加すると、やはり、短冊型のしおり、紙片を使用しなくてはならず、短冊型のしおり、紙片は、書籍、ノート等から脱落したり、書籍等の中に紛れてしまうという問題があった。複数のひもしおりが付いている場合でも、区別がつけにくく、複数個所を参照する場合、どのしおりのが、どのページに挟んであるか特定することが、困難であった。
【先行技術文献】
【特許文献】
【０００３】
【特許文献１】実用新案公開平５−３５３４４ 公開実用新案公報
【発明の概要】
【発明が解決しようとする課題】
【０００４】
ひも状の一般に書籍、ノート等に付属するしおりが付いていない書籍、ノート等では、短冊型のしおり、又は単に紙片等がページの覚えに使用されているが、短冊型のしおり、紙片は、書籍、ノート等から脱落したり、書籍等の中に紛れてしまうという問題がありこれを解決しようとする。また、ひも状の一般に書籍、ノート等に付属するしおりがついていても、その本数が少なく、参照箇所が増加すると、やはり、短冊型のしおり、紙片を使用するが、書籍、ノート等から脱落したり、書籍等の中に紛れてしまうという問題があり、これも同様に解決する。同時に、複数のひもしおりがついていても、区別がつけにくく、複数個所の参照で、どのひもしおりが、どのページに挟んであるか特定することが、困難であった。これも同様に解決する。
【課題を解決するための手段】
【０００５】
上述の課題を解決する本発明のひも支持型しおりは、書籍に関し読書、閲覧、参照、調査中、しおりの必要性が生じた場合、引掛けるだけで、確実に設置可能であり、書籍の損傷なしに、ひもしおりという適確な用途のしおりを、迅速に用意することが可能である。
【発明の効果】
【０００６】
本発明によれば、読書、閲覧、参照、調査、その他の用途で書籍を利用する場合、必要であれば、即時しおりを対象の書籍に装着可能である。この結果、読書、閲覧、参照、調査、その他の用途での効率向上が図られる。
【図面の簡単な説明】
【０００７】
【図１】図１は単一のひもしおりを有するひも支持型しおりの実施方法を示した説明図である。
【図２】図２は単一のひもしおりを有するひも支持型しおりの実施方法を示した説明図である。
【図３】図３は単一のひもしおりを有するひも支持型しおりの実施方法を示した説明図である。
【図４】図４は単一のひもしおりを有するひも支持型しおりの実施方法を示した説明図である。
【図５】図５は単一のひもしおりを有するひも支持型しおりの実施方法を示した説明図である。
【発明を実施するための形態】
【０００８】
以下本発明の実施の形態を図面に基づき詳細に説明する。
【実施例】
【０００９】
図１は本発明に係るひも支持型しおり１０の概観斜視図であり、１１はひもしおり、１２は支持ひも、１３はひもしおり１１及び支持ひも１２を接続する接続部、１４は支持ひも１２の両端を連結する伸縮部を示す。
【００１０】
図２は図１に示したひも支持型しおり１０を、書籍に取り付けた状態の概観斜視図である。書籍の背表紙にひも支持型しおり１０の支持ひも１２の一部及び、伸縮部１４が取り付いている。ひもしおり１１は、書籍の上部で、背表紙の上部から、書籍の内部ページ側に挟み込まれる。接続部１３は、ベージ側外側上部に、背表紙側に接する場所に位置する。書籍の背表紙にひも支持型しおり１０の支持ひも１２が、伸縮部１４の、上側、及び下側に取り付いている。支持ひも１２の一部は、背表紙を書籍の上部、及び下部より周回し、書籍のページ側の背表紙の裏側に取り付く。
【００１１】
図３は図２に示すひも支持型しおり１０を、書籍に取り付けた状態に関し、図２では、書籍のページ側に挟み込まれ、隠れてしまっている部分を示す図面である。図３は図２の書籍手前の表紙側方向から見た、ひも支持型しおりが挟みこまれているページの、断面の図である。書籍は点線で示している。ひも支持型しおり１０の接続部１３より、点線で示される書籍のページ側に、ひもしおり１１、及び支持ひも１２が挟み込まれている。接続部１３より、背表紙側、図３では点線で示す、表紙から見た書籍の外側に支持ひも１２が伸びて伸縮部１４の上端につながり、伸縮部１４を介して、伸縮部１４の下側から支持ひも１２がつながっている。この支持ひも１２は書籍下部より、書籍ページ側に挟み込まれている支持ひも１２につながっている。
【００１２】
図４に示すように、ページ側に挟み込まれた支持ひも１２の一部が、長すぎる場合、その上部、及び下部を背表紙裏側近くに挟み込むことにより、接続１３部を安定させることが可能である。その結果ひもしおり１１を安定させることが出来る。余剰部分は、中間地点で、図のようにたるませることにより、対応が可能である。
【００１３】
図５は本発明に係るひも支持型しおり１０において、ひもしおり１１が複数個付帯されたときの概観斜視図である。図５ではひもしおり１１は３本付帯されている。３本のひもしおり11は、スジが１本のもの、２本のもの、３本のものがあるが、これは、それぞれのひもしおり11を区分けし、どのページにどのひもしおり11が挟み込まれているかを明確にするためである。また、それぞれのスジは、３セットずつ、記入されているが、これは、必要に応じて、ひもしおり１１を切断等により、短くした場合にも、区分けを行えるようにするためである。
【産業上の利用可能性】
【００１４】
本発明は読書、書籍閲覧、等に関連する製本関係、文具関係、書籍関係の産業分野で利用することが出来る。
【符号の説明】
【００１５】
１０    ひも支持型しおり
１１    ひもしおり
１２    支持ひも
１３    接続部
１４    伸縮部
【図１】
2013094969.tif 000003
【図２】
2013094969.tif 000004
【図３】
2013094969.tif 000005
【図４】
2013094969.tif 000006
【図５】
2013094969.tif 000007